(57)【要約】【課題】携行、保管に便利であり、かつ、携行の際の持ち出し忘れや、使用後の置き忘れによる紛失を防止できる入れ子印鑑及び印鑑セットを提供する。【解決手段】入れ子印鑑は、外形が相対的に大きい印鑑２を筒状にして、内部に外形が相対的に小さい印鑑１を入れ子状に収納しており、外形が相対的に大きい印鑑２は、長方形の箱型として端部に刻印部２ａを設け、上面を開放可能とし、その開放部を覆う蓋３の一端に、刻印部２ａとは異なる刻印部３ａが設けられており、印鑑セットは、上述した入れ子印鑑と、印肉７と、それらを収納する空隙５ａ、５ｂを備えた印鑑ケース５とを組み合わせて構成する。【選択図】図１
2005199472.tif 000002
【特許請求の範囲】
【請求項１】
外形が相対的に小さい印鑑と、
外形が相対的に大きく内部に前記小さい印鑑を収納するための空隙を備えた印鑑と、
を含む入れ子印鑑。
【請求項２】
請求項１に記載の入れ子印鑑において、
最も小さい印鑑から最も大きい印鑑まで複数の大きさの段階があること、
を特徴とする入れ子印鑑。
【請求項３】
請求項１又は請求項２に記載の入れ子印鑑において、
前記外形が相対的に大きい印鑑は、先端に刻印部を備え、
開放された前記空隙を塞ぐための蓋部に、前記刻印部とは異なる他の刻印部が設けられていること、
を特徴とする入れ子印鑑。
【請求項４】
請求項１又は請求項２に記載の入れ子印鑑において、
前記外形が相対的に大きい印鑑は、
一端が刻印部により閉じられ他端が開放された略筒状の胴部と、
前記開放された部分を塞ぐとともに前記胴部を延長させる胴延長部とを備え、
前記胴部と前記胴延長部とを結合することにより前記空隙を形成すること、
を特徴とする入れ子印鑑。
【請求項５】
請求項１から請求項４までのいずれか１項に記載の入れ子印鑑と、
前記入れ子印鑑を収納するための空隙を備えた印鑑ケースと、
を含む印鑑セット。
【請求項６】
印鑑と、
前記印鑑を収納するための空隙を備えた印鑑ケースとを備え、
前記空隙を塞ぐための蓋部に、刻印部が設けられていること、
を特徴とする印鑑セット。
【発明の詳細な説明】
【技術分野】
【０００１】
本発明は、印鑑及びその印鑑を含む印鑑セットに関するものである。
【背景技術】
【０００２】
従来、実印、銀行印、認め印などは、それぞれ別々に、ケースや袋などに入れるか、金庫やその他の適当な場所に保管し、外出先で押印の必要が予想される場合は、印鑑を適宜選択し、ケースや袋をそのまま書類鞄やバッグなどに入れて携行していた。そして、携行や、使用時の便利さを考慮して、印鑑本体になんらかの加工や、他の物品と組み合わせることによって付加価値を高めようとしたものに、次のようなものがある。
【０００３】
（１）液浸透印、公用印、スタンプなどの印判体を使用する際に、キャップを紛失することなく、容易に安定した押印ができる「印鑑装置」（例えば、特許文献１）。
（２）印判体とキャラクターとをそれぞれ別々に交換することができ、バラエティー豊富なものとする「印鑑装置」（例えば、特許文献２）。
（３）一つの印鑑で、姓名文字の印影と、その周囲に文字や、模様、画像を組み合わせた印影とを同時に押印したり、姓名文字だけ、又は、文字、模様、画像を組み合わせた印影だけを押印したり、などの使い分けができるようにした「複合式印鑑」（例えば、特許文献３）。
【０００４】
従来の印鑑は、上述したように、用途の異なるものを、印鑑毎に保管、携行しているので、携行の際の持ち出し忘れ、使用後の置き忘れなどによる紛失の恐れが多く、また、保管、携行時の収容スペースも、ある程度の広さを確保する必要があった。
【０００５】
ところが、特許文献１は、キャップの紛失のみを防止するものである。特許文献２は、印判体とキャラクターとを別々に交換可能とするだけで、用途の異なる複数の印鑑を組み合わせたものではない。特許文献３は、主、従の関係にある印鑑のみを組み合わせたものであり、これもまた、用途の異なる印鑑の組み合わせではない。
したがって、これらの提案は、実印、銀行印、社印、認印、個人名などのゴム印などから選ばれたものの組み合わせではないので、外出、出張時の持ち出し忘れや、外出、出張先での置き忘れを防止するにはあまり有効でなく、また、保管、携行時に必要とするスペースも大きくなってしまう可能性があった。
【０００６】
【特許文献１】特開平１０−１８１１７１号公報
【特許文献２】特開２０００−２８９３１４号公報
【特許文献３】特開２００３−３０５９３１号公報
【発明の開示】
【発明が解決しようとする課題】
【０００７】
本発明の課題は、携行、保管に便利であり、かつ、携行の際の持ち出し忘れや、使用後の置き忘れによる紛失を防止できる入れ子印鑑及び印鑑セットを提供することである。
【課題を解決するための手段】
【０００８】
本発明は、以下のような解決手段により、前記課題を解決する。なお、理解を容易にするために、本発明の実施例に対応する符号を付して説明するが、これに限定されるものではない。
請求項１の発明は、外形が相対的に小さい印鑑（１）と、外形が相対的に大きく内部に前記小さい印鑑（１）を収納するための空隙（２ｃ）を備えた印鑑（２）と、を含む入れ子印鑑である。
【０００９】
請求項２の発明は、請求項１に記載の入れ子印鑑において、最も小さい印鑑（１１）から最も大きい印鑑（１４）まで複数の大きさの段階があること、を特徴とする入れ子印鑑である。
【００１０】
請求項３の発明は、請求項１又は請求項２に記載の入れ子印鑑において、前記外形が相対的に大きい印鑑（２）は、先端に刻印部（２ａ）を備え、開放された前記空隙（２ｃ）を塞ぐための蓋部（３）に、前記刻印部（２ａ）とは異なる他の刻印部（３ａ）が設けられていること、を特徴とする入れ子印鑑である。
【００１１】
請求項４の発明は、請求項１又は請求項２に記載の入れ子印鑑において、前記外形が相対的に大きい印鑑（１２、１３、１４）は、一端が刻印部（１２ａ、１３ａ、１４ａ）により閉じられ他端が開放された略筒状の胴部（１２ｂ、１３ｂ、１４ｂ）と、前記開放された部分を塞ぐとともに前記胴部（１２ｂ、１３ｂ、１４ｂ）を延長させる胴延長部（２２、２３、２４）とを備え、前記胴部（１２ｂ、１３ｂ、１４ｂ）と前記胴延長部（２２、２３、２４）とを結合することにより前記空隙（１２ｃ、１３ｃ、１４ｃ）を形成すること、を特徴とする入れ子印鑑である。
【００１２】
請求項５の発明は、請求項１から請求項４までのいずれか１項に記載の入れ子印鑑と、前記入れ子印鑑を収納するための空隙（５ｂ）を備えた印鑑ケース（５）と、を含む印鑑セットである。
【００１３】
請求項６の発明は、印鑑と、前記印鑑を収納するための空隙を備えた印鑑ケースとを備え、前記空隙を塞ぐための蓋部に、刻印部が設けられていること、を特徴とする印鑑セットである。
【発明の効果】
【００１４】
本発明によれば、以下のような効果がある。
（１）相対的に大きい印鑑の内部に、相対的に小さい印鑑を収納することができる空隙を設けることによって、入れ子状態にして、複数の印鑑をひとつにまとめることができる。
（２）入れ子状態を、最も小さい印鑑から最も大きい印鑑まで多段階に適用することによって、多くの印鑑をひとつにまとめることができる。
【００１５】
（３）相対的に大きい印鑑は、先端に刻印部を備え、空隙を塞ぐための蓋部に、他の刻印部を設けることによって、各印鑑を効率良くまとめることができる。
（４）相対的に大きい印鑑は、胴部と胴延長部とを結合することにより空隙を形成するので、相対的に小さい印鑑を収納しやすい。
（５）入れ子状態の印鑑を収納するための空隙を備えた印鑑ケースを含む印鑑セットとしたので、使用時に必要とする複数の印鑑が、ケースに入ったワンセットの状態となり、形態、保管に便利なものとすることができる。
【発明を実施するための最良の形態】
【００１６】
本発明は、携行、保管に便利であり、かつ、携行の際の持ち出し忘れや、使用後の置き忘れによる紛失を防止できる入れ子印鑑及び印鑑セットを提供するという目的を、相対的に大きい印鑑の内部に空隙を設けて、相対的に小さい印鑑の収容場所とし、入れ子状態とすることによって、複数の印鑑をコンパクトにまとめることにより実現する。
【実施例１】
【００１７】
以下、図面等を参照して、本発明の実施例をあげて、さらに詳しく説明する。
図１は、本発明の実施例１の印鑑セットを分解して示した斜視図である。
実施例１の印鑑セットは、小さい印鑑１、大きい印鑑２、印鑑ケース５によって構成されている。
【００１８】
小さい印鑑１は、例えば、認印であり、先端の円形の刻印部１ａと、円柱状の胴部１ｂとを有する。
【００１９】
大きい印鑑２は、例えば、銀行印であり、先端の円柱形の刻印部２ａと、長方形の箱状体の胴部２ｂと、胴部２ｂの内部の空隙２ｃと、空隙２ｃの上部付近に、所定間隔を隔てて略平行に設けられた一対の溝２ｄ、２ｄとを有し、空隙２ｃは、小さい印鑑１を十分な余裕をもって入れることができる大きさである。
【００２０】
また、大きい印鑑２は、胴部２ｂの上側の面に配置される蓋３と、刻印部２ａを保護するためのキャップ４とが付属されており、蓋３の先端部には、横長の刻印部３ａが設けられている。なお、刻印部３ａには、氏名が刻印されているが、会社名などであってもよい。
【００２１】
蓋３の下側には、図中１０１に示すように、凸部３ｃが設けられており、凸部３ｃの両側の出っ張りと一対の溝２ｄ、２ｄとを係合させ、蓋３を先端方向にスライドさせることによって、空隙２ｃを閉じることができる。
【００２２】
印鑑ケース５は、空隙５ａ、５ｂと、空隙５ａ、５ｂの上部付近に、所定間隔を隔てて略平行に設けられた一対の溝５ｃ、５ｃとを有し、空隙５ａは、上げ底の状態になっており、空隙５ｂは、大きい印鑑２を十分な余裕をもって入れることができる大きさである。
【００２３】
また、印鑑ケース５は、空隙５ａ、５ｂの上側の面に配置される蓋６と、空隙５ａに収納される印肉７とが付属されている。
蓋６の下側には、図中１０２に示すように、凸部６ａが設けられており、凸部６ａの両側の出っ張りと一対の溝５ｃ、５ｃとを係合させ、蓋６を先端方向にスライドさせることによって、空隙５ａ、５ｂを閉じることができる。
【００２４】
各印鑑の素材は、木、プラスチック、獣類の牙、角など、通常印鑑の材料として使用されるものであれば、いずれでもよいが、本実施例では、加工の容易なプラスチックを使用した。
【００２５】
次に、図２〜図７を参照しながら、実施例１の各印鑑の収納方法について説明する。
図２及び図３は、大きい印鑑２、蓋３、キャップ４を示す斜視図であり、図４及び図５は、印鑑ケース５、蓋６を示す斜視図であり、図６及び図７は、図５のＣ−Ｃ、Ｄ−Ｄ断面図である。
なお、図６及び図７は、小さい印鑑１の断面は、点線の斜線で示し、大きい印鑑２、蓋部３及びキャップ４の断面は、右肩上がりの斜線で示し、印鑑ケース５及び蓋６は、右肩下がりの斜線で示してある。
【００２６】
まず、図２に示すように、小さい印鑑１を大きい印鑑２の空隙２ｃに挿入し、蓋３の凸部３ｃを溝２ｄに係合させる。
ついで、図３に示すように、蓋３をスライドさせて空隙２ｃを閉じ、キャップ４を刻印部２ａに被せる。
【００２７】
さらに、図４に示すように、上述した通りに組み合わせた大きい印鑑２、蓋３及びキャップ４と、印肉７とを印鑑ケース５に挿入し、蓋６の凸部６ａを溝５ｃに係合させる。実際には、あらかじめ、印肉７を挿入しておくとよい。
最後に、図５に示すように、蓋６をスライドさせて、空隙５ａ、５ｂを閉じる。
【００２８】
印鑑ケース５の内部の状態は、図６に示すように、空隙５ａには、印肉７が収納され、空隙５ｂには、小さい印鑑１と大きい印鑑２とが収納されており、また、図７に示すように、印鑑ケース５の中に大きい印鑑２、大きい印鑑２の中に小さい印鑑１といったような入れ子状態で各印鑑が収納されている。
【００２９】
このように、実施例１によれば、大きい印鑑２の内部に、小さい印鑑１を収納することができる空隙２ｃを設けることによって、入れ子状態にして、複数の印鑑をひとつにまとめることができるので、携行の際の持ち出し忘れ、使用後の置き忘れなどによる紛失を防止することができ、かつ、保管、携行時の所要スペースを小さくすることができる。
【００３０】
また、大きい印鑑２は、刻印部２ａを端部に設けた長方形の箱状体とし、箱の上面に蓋３を設け、その蓋３の端部に刻印部２ａとは異なる刻印部３ａを設けることによって、薄い横型の刻印部３ａも一緒にまとめることができる。
【００３１】
一方、このような入れ子状態の印鑑を、使用時に必要な印肉７などを同時に入れたケース５と組み合わせることによって、さらに便利な印鑑セットとすることができる。
【実施例２】
【００３２】
図８は、本発明の実施例２の入れ子印鑑を分解して示した断面図である。
なお、印鑑１１の断面は、点線の斜線で示し、他の印鑑の胴部１２ｂ、１３ｂ、１４ｂの断面は、右肩上がりの斜線で示し、胴延長部２２、２３、２４、及び、キャップ２５の断面は、右肩下がりの斜線で示してある。
【００３３】
実施例２の入れ子印鑑は、４つの印鑑１１〜１４によって構成されている。
印鑑１１は、最も小さい印鑑であり、先端の円形の刻印部１１ａと、円柱状の胴部１１ｂとを有する。
【００３４】
印鑑１２は、印鑑１１より大きい印鑑であり、先端の円形の刻印部１２ａと、一端開放の円筒状の胴部１２ｂと、余裕をもって印鑑１１の一部（刻印部１１ａ側）を挿入することができる空隙１２ｃと、保持しやすくするための柄となり、かつ、胴部１２ｂの開放端の蓋をする胴延長部２２とを備える。
【００３５】
胴延長部２２は、胴部１２ｂの一部（刻印部１２ａの反対側）を挿入して嵌合することによって、胴部１２ｂを延長して柄を形成するとともに、印鑑１２からはみ出した印鑑１１の一部（刻印部１１ａの反対側）を覆うことができる。
【００３６】
印鑑１３は、印鑑１２より大きい印鑑であり、構成は、印鑑１２と同様である。
印鑑１４は、印鑑１３より大きい印鑑であり、構成は、印鑑１２と略同様であるが、キャップ２５が付属している点が異なる。
キャップ２５は、印鑑１４の胴部１４ｂの一部（刻印部１４ａ側）に被せることによって、刻印部１４ａを覆い保護することができる。
【００３７】
次に、図９〜図１１を参照しながら、実施例２の各印鑑の収納方法について説明する。
図９は、印鑑１１、１２、胴延長部２２を示す斜視図であり、図１０は、印鑑１２、１３、胴延長部２２、２３を示す斜視図であり、図１１は、印鑑１３、１４、胴延長部２３、２４を示す斜視図である。
【００３８】
まず、図９に示すように、印鑑１１の一部（刻印部１１ａ側）を印鑑１２の空隙１２ｃに挿入し、胴延長部２２を印鑑１２の胴部１２ｂの一部（刻印部１２ａの反対側）に嵌合させる。
ついで、図１０に示すように、印鑑１３の空隙１３ｃに、印鑑１２の胴部１２ｂの一部（刻印部１２ａ側）を挿入し、印鑑１３の胴部１３ｂの一部（刻印部１３ａの反対側）に胴延長部２３を嵌合させる。
さらに、図１１に示すように、印鑑１３の胴部１３ｂの一部（刻印部１３ａ側）を、印鑑１４の空隙１４ｃに挿入する。
【００３９】
最後に、図１１の図中１０３に示すように、印鑑１４の胴部１４ｂに、胴延長部２４とキャップ２５とを装着し、入れ子印鑑を完成させる。入れ子印鑑の保管、及び携行は、概ねこの状態で行われる。
【００４０】
このように、実施例２によれば、入れ子状態を、最も小さい印鑑１１から最も大きい印鑑１４まで多段階に適用することによって、多くの印鑑をひとつにまとめることができ、印鑑に足りないものがあれば、直ぐにわかるような、組み合わせにすることができ、各印鑑の紛失を防止できる。
また、実施例１と比べて、よりコンパクトにまとまるので、スペースを省くことができ、携行、保管に便利である。
【００４１】
（変形例）
以上説明した実施例に限定されることなく、種々の変形や変更が可能であって、それらも本発明の均等の範囲内である。
（１）上述した各実施例では、円形や角形の印鑑の例で説明したが、楕円形などの他の形の印鑑であってもよい。
（２）印鑑ケース５の内部には、印鑑類と印肉の他に、刻印面清掃用の小物などを入れるスペースを設け、それらを収納してもよい。
【００４２】
（３）入れ子状態にする印鑑の数は、任意に設定してよく、また、印鑑のそれぞれの形状も変えて任意に組み合わせてもよい。
（４）実施例２の入れ子印鑑を、実施例１の印鑑ケース５に入れて、印鑑セットとしてもよい。
（５）印鑑ケース５に付属されている蓋６の先端部に、刻印部を設けてもよい。
【図面の簡単な説明】
【００４３】
【図１】本発明の実施例１の印鑑セットを分解して示した斜視図である。
【図２】大きい印鑑２、蓋３、キャップ４を示す斜視図である。
【図３】大きい印鑑２、蓋３、キャップ４を示す斜視図である。
【図４】印鑑ケース５、蓋６を示す斜視図である。
【図５】印鑑ケース５、蓋６を示す斜視図である。
【図６】図５のＣ−Ｃ断面図である。
【図７】図５のＤ−Ｄ断面図である。
【図８】本発明の実施例２の入れ子印鑑を分解して示した断面図である。
【図９】印鑑１１、印鑑１２、胴延長部２２を示す斜視図である。
【図１０】印鑑１２、１３、胴延長部２２、２３を示す斜視図である。
【図１１】印鑑１３、１４、胴延長部２３、２４を示す斜視図である。
【符号の説明】
【００４４】
１、２、１１、１２、１３、１４  印鑑
１ａ、２ａ、３ａ、１１ａ、１２ａ、１３ａ、１４ａ  刻印部
３、６  蓋
４、２５  キャップ
５  印鑑ケース
７  印肉
２２、２３、２４  胴延長部
【図１】
2005199472.tif 000003
【図２】
2005199472.tif 000004
【図３】
2005199472.tif 000005
【図４】
2005199472.tif 000006
【図５】
2005199472.tif 000007
【図６】
2005199472.tif 000008
【図７】
2005199472.tif 000009
【図８】
2005199472.tif 000010
【図９】
2005199472.tif 000011
【図１０】
2005199472.tif 000012
【図１１】
2005199472.tif 000013